【手続補正書】
【提出日】令和3年7月1日(2021.7.1)
【手続補正１】
【補正対象書類名】特許請求の範囲
【補正対象項目名】全文
【補正方法】変更
【補正の内容】
【特許請求の範囲】
【請求項１】
植込み型医療装置（ＩＭＤ）であって、
患者の生理学的特徴を示す生理学的データを感知して出力するように構成された感知回路と、
少なくとも１つのプロセッサと、
前記少なくとも１つのプロセッサに接続され、前記ＩＭＤ内で一般的な動作機能を実行するために前記少なくとも１つのプロセッサによって実行可能なプログラム命令及び処理されたデータを格納するメモリと、
前記少なくとも１つのプロセッサ及び前記感知回路に接続され、前記生理学的データをフィルタリングするように構成されたハイブリッド信号処理（ＨＳＰ）回路と、を備え、
前記ハイブリッド信号処理（ＨＳＰ）回路は、
複数の１次フィルタと、
複数の高次フィルタと、
前記複数の１次フィルタの少なくとも１つの１次フィルタ及び前記複数の高次フィルタの少なくとも１つの高次フィルタの組み合わせを相互接続して、選択電力要求量以下を使用する選択複合周波数応答を有するハイブリッドデジタルフィルタを形成するように構成されたスイッチマトリクスと、を含み、
前記複数の高次フィルタの前記少なくとも１つの高次フィルタは、広帯域ローパスフィルタとして構成され、前記複数の１次フィルタの前記少なくとも１つの１次フィルタは、前記広帯域ローパスフィルタのカットオフ周波数よりも低いカットオフ周波数を有する狭帯域ローパスフィルタとして構成されることを特徴とする植込み型医療装置。
【請求項２】
請求項１に記載の植込み型医療装置であって、
前記１次フィルタは、整数係数を使用してプログラムされたデジタル整数フィルタを含むことを特徴とする植込み型医療装置。
【請求項３】
請求項１または２に記載の植込み型医療装置であって、
前記高次フィルタは、２次再帰型デジタルフィルタ、及び、その少なくとも一部が様々な対応する周波数通過帯域を有する双二次デジタルフィルタのうちの少なくとも一方を含むことを特徴とする植込み型医療装置。
【請求項４】
請求項３に記載の植込み型医療装置であって、
前記１次フィルタは、様々な対応するローパス周波数範囲を有するローパス整数フィルタと、様々な対応するハイパス周波数範囲を有するハイパス整数フィルタとを含み、
前記スイッチマトリクスは、前記ローパス整数フィルタ、前記ハイパス整数フィルタ、及び前記双二次デジタルフィルタの少なくとも一部をカスケード方式で相互接続して、前記選択複合周波数応答を有する前記ハイブリッドデジタルフィルタを形成することを特徴とする植込み型医療装置。
【請求項５】
請求項１〜４のいずれかに記載の植込み型医療装置であって、
前記スイッチマトリクスは、
（ｉ）前記複数の１次フィルタ及び前記複数の高次フィルタの少なくとも一部をカスケード方式で相互接続して、前記選択複合周波数応答を形成すること、
（ｉｉ）前記複数の１次フィルタ及び前記複数の高次フィルタの少なくとも一部をカスケード方式で相互接続して、前記選択された電力要求量以下を使用する前記ハイブリッドデジタルフィルタを形成すること、及び、
（ｉｉｉ）前記選択複合周波数応答を形成するために、前記複数の１次フィルタの少なくとも１つと、前記複数の高次フィルタの少なくとも１つとを加算方式または減算方式で相互接続すること、
のうちの少なくとも１つを実行するように構成されることを特徴とする植込み型医療装置。
【請求項６】
請求項１〜５のいずれかに記載の植込み型医療装置であって、
前記高次フィルタの少なくとも１つは、対応する遷移領域において第１の減衰率を示す周波数応答を有するように構成され、
前記１次フィルタの少なくとも１つは、対応する遷移領域において、前記第１の減衰率よりも小さい第２の減衰率を示す周波数応答を有するように構成されることを特徴とする植込み型医療装置。
【請求項７】
植込み型医療装置（ＩＭＤ）においてデータを処理する方法であって、
複数の１次フィルタ及び複数の高次フィルタを含み、前記複数の１次フィルタの少なくとも１つの１次フィルタと前記複数の高次フィルタの少なくとも１つの高次フィルタとの組み合わせを相互接続することによって定義される選択電力要求量以下を使用する選択複合周波数応答を有するハイブリッド信号処理（ＨＳＰ）回路を用意するステップと、
感知回路で、患者の生理学的特徴を示す生理学的データを感知するステップと、
前記選択複合周波数応答を用いて前記ハイブリッド信号処理（ＨＳＰ）回路で前記生理学的データをフィルタリングして、フィルタリングされた生理学的データを提供するステップと、
前記複数の高次フィルタの前記少なくとも１つの高次フィルタを、広帯域ローパスフィルタとして構成し、かつ、前記複数の１次フィルタの前記少なくとも１つの１次フィルタを、前記広帯域ローパスフィルタのカットオフ周波数よりも低いカットオフ周波数を有する狭帯域ローパスフィルタとして構成するステップと、
を含むことを特徴とする方法。
【請求項８】
請求項７に記載の方法であって、
前記フィルタリングされた生理学的データを処理または格納するステップをさらに含むことを特徴とする方法。
【請求項９】
請求項７または８に記載の方法であって、
前記ハイブリッド信号処理（ＨＳＰ）回路の前記複数の１次フィルタを定義するために、整数係数を使用して整数フィルタをプログラムするステップをさらに含むことを特徴とする方法。
【請求項１０】
請求項７〜９のいずれかに記載の方法であって、
前記ハイブリッド信号処理（ＨＳＰ）回路の前記複数の高次フィルタとして、２次再帰的デジタルフィルタを提供するステップ、及び、
前記高次フィルタとして、様々な対応する周波数通過帯域またはカットオフ周波数を有する双二次デジタルフィルタを提供するステップのうちの少なくとも一方をさらに含むことを特徴とする方法。
【請求項１１】
請求項１０に記載の方法であって、
（ｉ）前記複数の１次フィルタを、様々な対応するローパス周波数範囲を有するローパス整数フィルタと、様々な対応するハイパス周波数範囲を有するハイパス整数フィルタとして構成し、かつ、前記ローパス整数フィルタ、前記ハイパス整数フィルタ、及び前記双二次デジタルフィルタの少なくとも一部をカスケード方式で相互接続して、前記選択複合周波数応答を有するハイブリッドデジタルフィルタを形成するステップ、及び、
（ｉｉ）前記複数の１次フィルタを、様々な対応するローパス周波数範囲を有するローパス整数フィルタと、様々な対応するハイパス周波数範囲を有するハイパス整数フィルタとして構成し、かつ、前記ローパス整数フィルタ、前記ハイパス整数フィルタ、及び前記双二次デジタルフィルタの少なくとも一部を加算方式または減算方式で相互接続して、前記選択複合周波数応答を有するハイブリッドデジタルフィルタを形成するステップのうちの少なくとも一方をさらに含むことを特徴とする方法。
【請求項１２】
請求項７〜１１のいずれかに記載の方法であって、
前記複数の１次フィルタの少なくとも１つの周波数応答と前記複数の高次フィルタの少なくとも１つの周波数応答との畳み込みに基づいて前記選択複合周波数応答を定義するステップをさらに含む、ことを特徴とする方法。
【請求項１３】
請求項７〜１２のいずれかに記載の方法であって、
前記高次フィルタの少なくとも１つを広帯域ローパスフィルタとして構成し、
前記１次フィルタの少なくとも１つを、前記広帯域ローパスフィルタのカットオフ周波数よりも低いカットオフ周波数を有する狭帯域ローパスフィルタとして構成するステップをさらに含むことを特徴とする方法。
【請求項１４】
請求項７〜１３のいずれかに記載の方法であって、
前記高次フィルタの少なくとも１つを、対応する遷移領域において第１の減衰率を示す周波数応答を有するように構成し、
前記１次フィルタの少なくとも１つを、対応する遷移領域において、前記第１の減衰率よりも小さい第２の減衰率を示す周波数応答を有するように構成するステップをさらに含むことを特徴とする方法。